(57)【要約】【課題】電源ボタン、チャンネル切り替えボタン，音量設定ボタン等の操作ボタンに幼児が触れた場合でも利用者が視聴中の設定が変わらないようにするためのロック機能を備えるとともに、特定の利用者のみがロック状態とアンロック状態とを容易に切り替えることができるテレビジョン受信機を提供する。【解決手段】受信機本体に設けられた操作ボタンによる操作を無効にするロック状態と該操作を有効にするアンロック状態とを有するテレビジョン受信機が、正当な利用者の指紋データを記憶する記憶手段と、利用者の指紋を走査して取得された指紋データと前記記憶手段に記憶された指紋データとを照合することにより、正当な利用者を認証する指紋認証手段と、前記指紋認証手段により正当な利用者が認証される毎に、該ロック状態と該アンロック状態とを切り替える制御手段と、を具備するように構成される。【選択図】図３
2008172504.tif 000002
【特許請求の範囲】
【請求項１】
受信機本体に設けられた操作ボタンによる操作を無効にするロック状態と該操作を有効にするアンロック状態とを有するテレビジョン受信機であって、
正当な利用者の指紋データを記憶する記憶手段と、
利用者の指紋を走査して取得された指紋データと前記記憶手段に記憶された指紋データとを照合することにより、正当な利用者を認証する指紋認証手段と、
前記指紋認証手段により正当な利用者が認証される毎に、該ロック状態と該アンロック状態とを切り替える制御手段と、
を具備することを特徴とするテレビジョン受信機。
【請求項２】
前記記憶手段に複数の利用者の指紋データが記憶され得る、請求項１に記載のテレビジョン受信機。
【請求項３】
前記記憶手段に利用者の指紋データを記憶させる操作を受け付ける手段を更に具備する、請求項１に記載のテレビジョン受信機。
【請求項４】
前記記憶手段に記憶された指紋データをクリアする操作を受け付ける手段を更に具備する、請求項１に記載のテレビジョン受信機。
【請求項５】
ロック状態又はアンロック状態のいずれの状態にあるかを表示する手段を更に具備する、請求項１に記載のテレビジョン受信機。
【請求項６】
受信機本体に設けられた操作ボタンによる操作を無効にするロック状態と該操作を有効にするアンロック状態とを有するテレビジョン受信機に設けられるコンピュータを、
正当な利用者の指紋データを記憶する記憶手段と、
利用者の指紋を走査して取得された指紋データと前記記憶手段に記憶された指紋データとを照合することにより、正当な利用者を認証する指紋認証手段と、
前記指紋認証手段により正当な利用者が認証される毎に、該ロック状態と該アンロック状態とを切り替える制御手段と、
として機能させるためのプログラム。
【請求項７】
受信機本体に設けられた操作ボタンによる操作を無効にするロック状態と該操作を有効にするアンロック状態とを有するテレビジョン受信機におけるロック制御方法であって、
指紋認証手段が、利用者の指紋を走査して取得された指紋データと予め記憶手段に記憶されている指紋データとを照合することにより、正当な利用者を認証するステップと、
制御手段が、正当な利用者が認証される毎に、該ロック状態と該アンロック状態とを切り替えるステップと、
を具備することを特徴とする方法。
【発明の詳細な説明】
【技術分野】
【０００１】
本発明は、操作ボタンによる操作を無効にするロック機能を備えたテレビジョン受信機に関する。
【背景技術】
【０００２】
従来から、リモートコントローラからの信号では受信回路電源が入らないようにするチャイルドロック機能をテレビジョン受信機が開発されており、例えば、下記特許文献１は、ＬＥＤを点滅すること若しくは所定時間音声を出力すること又はそれらを組み合わせることによって、チャイルドロック状態であることを表示する専用のＬＥＤを設けなくとも画面の劣化及び消費電力の増大を生じることなくこれを表出し得るテレビジョン受信機について開示している。
【０００３】
一方、下記特許文献２は、指紋認証機構をスリープボタンや電源スイッチに設け、該当ボタンを押すたびに使用者認証を行い、また使用者がカスタマイズした機能や画面などを同時に呼び出すことにより、指紋認証機構とスリープボタン等とを組み合わせてセキュリティとユーザビリティとの両立を図った画像形成装置について開示している。
【０００４】
ところで、テレビジョン受信機本体の電源ボタン、チャンネル切り替えボタン，音量設定ボタン等は、テレビジョン受信機本体の前面に設けられ、幼児の手の届く範囲にあることが多い。そのため、幼児が、遊び感覚で、電源ボタンを押下して電源を切断し又はチャンネルや音量を変更することができてしまうという問題がある。そして、テレビジョン受信機に付属のリモートコントローラも、受信機本体の電源が切られてしまうと使用することができなくなってしまう。
【０００５】
【特許文献１】特開平７−２３３０７号公報
【特許文献２】特開２００４−７７９９０号公報
【発明の開示】
【発明が解決しようとする課題】
【０００６】
本発明は、上述した問題点に鑑みてなされたものであり、その目的は、受信機本体に設けられた電源ボタン、チャンネル切り替えボタン，音量設定ボタン等の操作ボタンに幼児が触れた場合でも利用者が視聴中の設定が変わらないようにするためのロック機能を備えるとともに、特定の利用者のみがロック状態とアンロック状態とを容易に切り替えることができるテレビジョン受信機を提供することにある。
【課題を解決するための手段】
【０００７】
上記目的を達成するために、本発明の一つの面によれば、受信機本体に設けられた操作ボタンによる操作を無効にするロック状態と該操作を有効にするアンロック状態とを有するテレビジョン受信機であって、正当な利用者の指紋データを記憶する記憶手段と、利用者の指紋を走査して取得された指紋データと前記記憶手段に記憶された指紋データとを照合することにより、正当な利用者を認証する指紋認証手段と、前記指紋認証手段により正当な利用者が認証される毎に、該ロック状態と該アンロック状態とを切り替える制御手段と、を具備することを特徴とするテレビジョン受信機が提供される。
【０００８】
一つの好適な態様では、前記記憶手段に複数の利用者の指紋データが記憶され得る。
【０００９】
一つの好適な態様では、前記記憶手段に利用者の指紋データを記憶させる操作を受け付ける手段が更に具備される。
【００１０】
一つの好適な態様では、前記記憶手段に記憶された指紋データをクリアする操作を受け付ける手段が更に具備される。
【００１１】
一つの好適な態様では、ロック状態又はアンロック状態のいずれの状態にあるかを表示する手段が更に具備される。
【００１２】
さらに、本発明によれば、テレビジョン受信機に設けられるコンピュータに上述の機能をさせるためのプログラムと、上述のテレビジョン受信機において実施される方法と、が提供される。
【発明の効果】
【００１３】
本発明によるテレビジョン受信機によれば、指紋認証により正当な利用者であると認められる度にロック状態とアンロック状態とが切り替えられるため、正当な利用者は簡単な操作で状態を変更することができる。ロック状態にあっては、幼児が電源ボタン、チャンネル切り替えボタン，音量設定ボタン等を操作しても無効となるため、誤操作や故障の防止に寄与するところが大きい。また、視聴利用者は、電源の再投入やチャンネル、音量等の再設定の煩わしさから開放される。
【発明を実施するための最良の形態】
【００１４】
以下、添付図面を参照して本発明の実施形態について説明する。図１は、本発明によるテレビジョン受信機の一実施形態の外観を示す図である。同図において、符号１００はテレビジョン受信機本体、符号１１２は電源ボタン、符号１１４はチャンネル・音量等設定ボタン、符号１２０は受信機本体１００に組み込まれた指紋認証装置、符号１３２はロック状態表示ランプ、符号１４２は指紋登録追加ボタン、符号１４４は指紋登録クリアボタン、をそれぞれ示す。
【００１５】
図１に示されるテレビジョン受信機は電源ボタン１１２やチャンネル・音量等設定ボタン１１４による操作を無効にするロック状態と当該操作を有効にするアンロック状態とを有し、ロック状態にあるときにはロック状態表示ランプ１３２が点灯する。指紋登録追加ボタン１４２及び指紋登録クリアボタン１４４は、受信機本体１００側面の隠しパネルに設けられている。
【００１６】
図２は、図１に示されるテレビジョン受信機内にコンピュータシステムとして設けられるロック装置の構成を示すブロック図である。同図において、符号１１０は、電源ボタン１１２、チャンネル・音量等設定ボタン１１４等から構成される操作ボタン部を示す。また、符号１３０は、ロック状態表示ランプ１３２等から構成される状態表示ランプ部を示す。また、符号１４０は、指紋登録追加ボタン１４２と指紋登録クリアボタン１４４とから構成される指紋登録操作部を示す。
【００１７】
さらに、符号２０２はバス、符号２０４はプロセッサ、符号２０６はメインメモリ、をそれぞれ示す。また、符号２０８は、電源のオフ、チャンネルの切り替え、等を制御する制御回路を示す。また、符号２１０は、指紋認証装置１２０に接続され、正当な利用者の指紋データが登録される不揮発性メモリを示す。
【００１８】
プロセッサ２０４は、メインメモリ２０６にロードされたプログラムを実行することにより、本発明に係るロック制御を実現する。以下、その具体的な処理について説明する。
【００１９】
図３は、電源投入後に起動されるメインルーチンの処理手順を示すフローチャートである。なお、電源ボタン１１２の押下による電源切断はアンロック状態において可能となるため、電源ボタン１１２の押下による電源投入時には必ずアンロック状態となっている。
【００２０】
メインルーチンは、起動後、指紋認証装置１２０において正当な利用者が認証されるのを待つ（ステップ３１０）。ここで、指紋認証装置１２０における指紋認証は、利用者が指紋をかざすことに応じて指紋データを取得し、取得された指紋データと不揮発性メモリ２１０に登録されている指紋データとを照合することにより実現される。なお、不揮発性メモリ２１０には複数の利用者の指紋データが登録可能であり、取得された指紋データが一つの登録データと一致すれば、正当な利用者であると認証される。また、一つも登録データがなければ、指紋認証はなされず、結果としてアンロック状態が維持される。
【００２１】
指紋認証がなされると、現在、ロック状態又はアンロック状態のいずれの状態にあるかが判定される（ステップ３２０）。
【００２２】
現在、アンロック状態にある場合には、プロセッサ２０４は、ロック状態に移行する制御を行う（ステップ３３０）。なお、電源投入後、最初に指紋認証がなされたときには、このような移行が起こることとなる。ロック状態においては、プロセッサ２０４は、電源ボタン１１２やチャンネル・音量等設定ボタン１１４が押下されても、その信号を無効として制御回路２０８に伝達しない。また、プロセッサ２０４は、ロック状態への移行と同時に、ロック状態表示ランプ１３２を点灯させる制御を行う。
【００２３】
一方、現在、ロック状態にある場合には、プロセッサ２０４は、アンロック状態に移行する制御を行う（ステップ３４０）。アンロック状態においては、プロセッサ２０４は、電源ボタン１１２やチャンネル・音量等設定ボタン１１４が押下されるのに応じて、その信号を制御回路２０８に伝達する。また、プロセッサ２０４は、アンロック状態への移行と同時に、ロック状態表示ランプ１３２を消灯させる制御を行う。
【００２４】
ステップ３３０又はステップ３４０の実行後、プロセッサ２０４は、ステップ３１０にリターンして、同様の処理を繰り返す。
【００２５】
図４は、指紋登録追加ボタン１４２の押下に応じて起動される指紋登録追加ルーチンの処理手順を示すフローチャートである。指紋登録追加ボタン１４２が押下されると、プロセッサ２０４は、利用者が指紋をかざすことに応じて指紋データを読み取るように指紋認証装置１２０を制御する（ステップ４１０）。なお、プロセッサ２０４は、所定の時間内に指紋データの読み取りに成功しなかった場合には処理を中止する。
【００２６】
次いで、プロセッサ２０４は、読み取られた指紋データを不揮発性メモリ２１０に追加登録するように指紋認証装置１２０を制御する（ステップ４２０）。なお、それまで一つの登録データも存在しなかった場合には、今回が初めての登録となる。登録後、プロセッサ２０４による処理は、メインルーチンにリターンする。
【００２７】
かくして、例えば、幼児に対してのみ操作を制限する一方で、父親も母親も操作することができるという機能を実現することができる。
【００２８】
図５は、指紋登録クリアボタン１４４の押下に応じて起動される指紋登録クリアルーチンの処理手順を示すフローチャートである。指紋登録クリアボタン１４４が押下されると、プロセッサ２０４は、不揮発性メモリ２１０に登録されている全ての指紋データを削除するように指紋認証装置１２０を制御する（ステップ５１０）。
【００２９】
次いで、プロセッサ２０４は、ロック状態にある場合を考慮してアンロック状態とする制御を行う（ステップ５２０）。ロック状態のまま登録指紋データがなくなると、ロックを解除することができなくなるからである。また、プロセッサ２０４は、アンロック状態にすると同時に、ロック状態表示ランプ１３２を消灯させる制御を行う。その後、プロセッサ２０４による処理は、メインルーチンにリターンする。
【００３０】
なお、登録指紋データの追加及びクリアは、テレビジョン受信機の画面に所定のメニューを表示して、画面上の操作で実現されるようにすることも可能である。
【００３１】
以上、本発明を特にその好ましい実施の形態を参照して詳細に説明した。本発明の容易な理解のため、本発明の具体的な形態を以下に付記する。
【００３２】
（付記１）  受信機本体に設けられた操作ボタンによる操作を無効にするロック状態と該操作を有効にするアンロック状態とを有するテレビジョン受信機であって、
正当な利用者の指紋データを記憶する記憶手段と、
利用者の指紋を走査して取得された指紋データと前記記憶手段に記憶された指紋データとを照合することにより、正当な利用者を認証する指紋認証手段と、
前記指紋認証手段により正当な利用者が認証される毎に、該ロック状態と該アンロック状態とを切り替える制御手段と、
を具備することを特徴とするテレビジョン受信機。
【００３３】
（付記２）  前記記憶手段に複数の利用者の指紋データが記憶され得る、付記１に記載のテレビジョン受信機。
【００３４】
（付記３）  前記記憶手段に利用者の指紋データを記憶させる操作を受け付ける手段を更に具備する、付記１に記載のテレビジョン受信機。
【００３５】
（付記４）  前記記憶手段に記憶された指紋データをクリアする操作を受け付ける手段を更に具備する、付記１に記載のテレビジョン受信機。
【００３６】
（付記５）  ロック状態又はアンロック状態のいずれの状態にあるかを表示する手段を更に具備する、付記１に記載のテレビジョン受信機。
【００３７】
（付記６）  受信機本体に設けられた操作ボタンによる操作を無効にするロック状態と該操作を有効にするアンロック状態とを有するテレビジョン受信機に設けられるコンピュータを、
正当な利用者の指紋データを記憶する記憶手段と、
利用者の指紋を走査して取得された指紋データと前記記憶手段に記憶された指紋データとを照合することにより、正当な利用者を認証する指紋認証手段と、
前記指紋認証手段により正当な利用者が認証される毎に、該ロック状態と該アンロック状態とを切り替える制御手段と、
として機能させるためのプログラム。
【００３８】
（付記７）  前記記憶手段に複数の利用者の指紋データが記憶されるように更に該コンピュータを機能させる、付記６に記載のプログラム。
【００３９】
（付記８）  前記記憶手段に利用者の指紋データを記憶させる操作を受け付ける手段として更に該コンピュータを機能させる、付記６に記載のプログラム。
【００４０】
（付記９）  前記記憶手段に記憶された指紋データをクリアする操作を受け付ける手段として更に該コンピュータを機能させる、付記６に記載のプログラム。
【００４１】
（付記１０）  ロック状態又はアンロック状態のいずれの状態にあるかを表示する手段として更に該コンピュータを機能させる、付記６に記載のプログラム。
【００４２】
（付記１１）  受信機本体に設けられた操作ボタンによる操作を無効にするロック状態と該操作を有効にするアンロック状態とを有するテレビジョン受信機におけるロック制御方法であって、
指紋認証手段が、利用者の指紋を走査して取得された指紋データと予め記憶手段に記憶されている指紋データとを照合することにより、正当な利用者を認証するステップと、
制御手段が、正当な利用者が認証される毎に、該ロック状態と該アンロック状態とを切り替えるステップと、
を具備することを特徴とする方法。
【００４３】
（付記１２）  前記記憶手段に複数の利用者の指紋データが記憶され得る、付記１１に記載の方法。
【００４４】
（付記１３）  入力手段が、利用者の指紋データを記憶させる操作を受け付けるステップを更に具備する、付記１１に記載の方法。
【００４５】
（付記１４）  入力手段が、記憶された指紋データをクリアする操作を受け付けるステップを更に具備する、付記１１に記載の方法。
【００４６】
（付記１５）  出力手段が、ロック状態又はアンロック状態のいずれの状態にあるかを表示するステップを更に具備する、付記１１に記載の方法。
【図面の簡単な説明】
【００４７】
【図１】本発明によるテレビジョン受信機の一実施形態の外観を示す図である。
【図２】図１に示されるテレビジョン受信機内にコンピュータシステムとして設けられるロック装置の構成を示すブロック図である。
【図３】電源投入後に起動されるメインルーチンの処理手順を示すフローチャートである。
【図４】指紋登録追加ボタンの押下に応じて起動される指紋登録追加ルーチンの処理手順を示すフローチャートである。
【図５】指紋登録クリアボタンの押下に応じて起動される指紋登録クリアルーチンの処理手順を示すフローチャートである。
【符号の説明】
【００４８】
１００    テレビジョン受信機本体
１１０    操作ボタン部
１１２    電源ボタン
１１４    チャンネル・音量等設定ボタン
１２０    指紋認証装置
１３０    状態表示ランプ部
１３２    ロック状態表示ランプ
１４０    指紋登録操作部
１４２    指紋登録追加ボタン
１４４    指紋登録クリアボタン
２０２    バス
２０４    プロセッサ
２０６    メインメモリ
２０８    制御回路
２１０    不揮発性メモリ
【図１】
2008172504.tif 000003
【図２】
2008172504.tif 000004
【図３】
2008172504.tif 000005
【図４】
2008172504.tif 000006
【図５】
2008172504.tif 000007